(57)【要約】【課題】着用時におけるボタンの外れにくさを確保しつつ、脱衣時には個々のボタンをボタン穴から手で外すことなく、簡便に短時間で脱衣を行うことが可能な衣類を提供する。【解決手段】衣類１は、生地２に取付けられたボタン３と、着用時にボタン３が係合するボタン穴４とを備えている。ボタン穴４は上下方向に細長い細長部５と、細長部５の下方に細長部５と連続して設けられた円形状の大径部６とによって構成されている。脱衣時に衣類１の上側を横方向に手で引っ張ると、上下方向に一列に配列されたボタン３は、この際に生じる下向きの力によって、上段側から下段側に向かって順次、細長部５から大径部６に移動して。ボタン穴４から外れる。【選択図】図１
2019052383.tif 000002
【特許請求の範囲】
【請求項１】
生地に取付けられたボタンと、着用時にボタンが係合するボタン穴とを備え、ボタン穴は上下方向に細長い細長部と、細長部の下方に細長部と連続して設けられた円形状の大径部とによって構成され、大径部の径は、細長部の横方向の開口幅よりも大きく、ボタンの径よりも小さいことを特徴とする衣類。
【請求項２】
生地に取付けられたボタンと、着用時にボタンが係合するボタン穴とを備え、ボタン穴は上下方向に細長い細長部と、細長部の上方に細長部と連続して設けられた円形状の大径部とによって構成され、大径部の径は、細長部の横方向の開口幅よりも大きく、ボタンの径よりも小さいことを特徴とする衣類。
【請求項３】
生地に取付けられたボタンと、着用時にボタンが係合するボタン穴とを備え、ボタン穴は上下方向に細長い細長部と、細長部の上方と下方のいずれにも細長部と連続して設けられた円形状の大径部とによって構成され、大径部の径は、細長部の横方向の開口幅よりも大きく、ボタンの径よりも小さいことを特徴とする衣類。
【請求項４】
前記大径部の周囲を形成する縁部は、生地よりも硬くなるように形成されていることを特徴とする請求項１から３のいずれかに記載の衣類。
【発明の詳細な説明】
【技術分野】
【０００１】
本発明は、着用時にはボタンが外れにくく、脱衣時には個々のボタンを手でボタン穴から外すことなく脱衣を行うことが可能な衣類に関する。
【背景技術】
【０００２】
カッターシャツのような衣類は、ボタンとボタン穴とを備えており、着用時にはボタンがボタン穴に係合し、脱衣時には個々のボタンを手でボタン穴から外すことによって脱衣がなされるのが通常である。
【０００３】
しかし、暑い夏場のように、衣類を急いで脱ぎたい場合には、個々のボタンを手でボタン穴から外すことが面倒に感じることが多い。また、舞台衣装として使用して、早変わりを行う場合には、極力短時間で衣装を脱ぐことが要求される。
【０００４】
ボタンとボタン穴に関する技術の一例が特許文献１に記載されており、ここには、掛け外しし易く不意に外れ難いボタンとボタンホールの構造が開示されている。
【０００５】
【特許文献１】特開２０１７−３６５１４号公報
【発明の概要】
【発明が解決しようとする課題】
【０００６】
ボタンがボタン穴に係合することによって着用状態が維持されるため、着用時にはボタン穴からボタンが外れにくいことが必要である。従って、着用時のボタンの外れにくさを確保しつつ、脱衣時には個々のボタンをボタン穴から手で外すことなく脱衣ができれば極めて便利である。
【０００７】
本発明は、このような事情を考慮してなされたもので、着用時におけるボタンの外れにくさを確保しつつ、脱衣時には個々のボタンをボタン穴から手で外すことなく、簡便に短時間で脱衣を行うことが可能な衣類を提供することを目的とする。
【課題を解決するための手段】
【０００８】
以上の課題を解決するために、本発明の衣類は、生地に取付けられたボタンと、着用時にボタンが係合するボタン穴とを備え、ボタン穴は上下方向に細長い細長部と、細長部の下方に細長部と連続して設けられた円形状の大径部とによって構成され、大径部の径は、細長部の横方向の開口幅よりも大きく、ボタンの径よりも小さいことを特徴とする。
【０００９】
着衣時には、ボタンは上下方向に細長い細長部に係合されているため、ボタンがボタン穴から外れにくい状態を維持できる。その一方、脱衣時には、衣類の上側を横方向に手で引っ張ると、一列に配列されたボタンは順次、この際に生じる力によって、細長部の下方に細長部と連続して設けられた円形状の大径部に移動する。
【００１０】
大径部の径は、細長部の横方向の開口幅よりも大きくなっているため、この引張力によってボタンはボタン穴から外れる。そのため、個々のボタンをボタン穴から手で外すことなく、衣類の上側を横方向に手で引っ張るだけで、全てのボタンをボタン穴から外して脱衣を行うことができる。また、大径部の径は、ボタンの径よりも小さいため、着衣時にボタンが大径部に位置したとしても、着衣時には脱衣時のような引張力は働かないことにより、ボタンがボタン穴から抜けることを抑制できる。
【００１１】
また、本発明の衣類は、生地に取付けられたボタンと、着用時にボタンが係合するボタン穴とを備え、ボタン穴は上下方向に細長い細長部と、細長部の上方に細長部と連続して設けられた円形状の大径部とによって構成され、大径部の径は、細長部の横方向の開口幅よりも大きく、ボタンの径よりも小さいことを特徴とする。
【００１２】
着衣時には、ボタンは上下方向に細長い細長部に係合されているため、ボタンがボタン穴から外れにくい状態を維持できる。その一方、脱衣時には、衣類の下側を横方向に手で引っ張ると、一列に配列されたボタンは順次、この際に生じる力によって、細長部上方に細長部と連続して設けられた円形状の大径部に移動する。
【００１３】
大径部の径は、細長部の横方向の開口幅よりも大きくなっているため、この引張力によってボタンはボタン穴から外れる。そのため、個々のボタンをボタン穴から手で外すことなく、衣類の下側を横方向に手で引っ張るだけで、全てのボタンをボタン穴から外して脱衣を行うことができる。また、大径部の径は、ボタンの径よりも小さいため、着衣時にボタンが大径部に位置したとしても、着衣時には脱衣時のような引張力は働かないことにより、ボタンがボタン穴から抜けることを抑制できる。
【００１４】
また、本発明の衣類は、生地に取付けられたボタンと、着用時にボタンが係合するボタン穴とを備え、ボタン穴は上下方向に細長い細長部と、細長部の上方と下方のいずれにも細長部と連続して設けられた円形状の大径部とによって構成され、大径部の径は、細長部の横方向の開口幅よりも大きく、ボタンの径よりも小さいことを特徴とする。
【００１５】
舞台衣装として使用して、早変わりを行う場合には、極力短時間で衣装を脱ぐことが要求されるが、細長部の上方と下方のいずれにも細長部と連続して設けられた円形状の大径部が設けられているため、脱衣時間を短縮させる目的のためには有効である。
【００１６】
本発明の衣類においては、前記大径部の周囲を形成する縁部は、生地よりも硬くなるように形成されていることが好ましい。
【００１７】
縁部が生地よりも硬くなるように形成されていることにより、着衣時にボタンが大径部に位置したときに、縁部は、ボタンがボタン穴から抜けることを抑制するための抵抗として機能する。この縁部を、生地よりも硬くなるように形成することは、この部分を接着剤で固めるか、刺繍等によって生地の厚みを増すこと等によって可能である。
【発明の効果】
【００１８】
本発明は、着用時におけるボタンの外れにくさを確保しつつ、脱衣時には個々のボタンをボタン穴から手で外すことなく、簡便に短時間で脱衣を行うことが可能な衣類を実現することができる。
【図面の簡単な説明】
【００１９】
【図１】本発明の第一実施形態に係る衣類の着衣時の状況を示す図である。
【図２】本発明の第一実施形態に係る衣類の脱衣時におけるボタンの動きを示す図である。
【図３】本発明の第二実施形態に係る衣類の着衣時の状況を示す図である。
【図４】本発明の第二実施形態に係る衣類の脱衣時におけるボタンの動きを示す図である。
【図５】本発明の第三実施形態に係る衣類の着衣時の状況とボタン穴の詳細を示す図である。
【発明を実施するための形態】
【００２０】
以下に、本発明の衣類を、その実施形態に基づいて説明する。
図１に、本発明の第一実施形態に係る衣類の着衣時の状況を示す。
カッターシャツ等の衣類１は、生地２に取付けられたボタン３と、着用時にボタン３が係合するボタン穴４とを備えている。ボタン穴４は上下方向に細長い細長部５と、細長部５の下方に細長部５と連続して設けられた円形状の大径部６とによって構成されている。着衣時には、ボタン３は上下方向に細長い細長部５に係合されているため、ボタン３がボタン穴４から外れにくい状態を維持できる。
【００２１】
図２は、第一実施形態に係る衣類の脱衣時におけるボタンの動きを示す。図２(ａ)は全体図であり、図２（ｂ）、（ｃ）、（ｄ）は、その部分詳細図である。
図２(ａ)に示すように、脱衣時に衣類１の上側を横方向に手で引っ張ると、上下方向に一列に配列されたボタン３は、この際に生じる矢印で示す下向きの力によって、上段側から下段側に向かって順次、細長部５から大径部６に移動する。図２(ａ)では、この動作によって、最上段のボタン３がすでにボタン穴４から外れ、上から２段目のボタン３が、大径部６に移動した状態を示している。
【００２２】
図２（ｂ）、（ｃ）、（ｄ）は、ボタンの動きの時間的経過を示している。
図２（ｂ）は着用時を示しており、ボタン３は上下方向に細長い細長部５に係合されているため、ボタン３がボタン穴４から外れにくい状態となっている。図２（ｃ）は、ボタン３が移動している途中を示しており、図２（ｄ）は、ボタン３が大径部６に移動した状態を示している。
【００２３】
大径部６の径Ｄは、細長部５の横方向の開口幅Ｗよりも大きくなっているため、この引張力によってボタン３はボタン穴４から外れる。そのため、個々のボタン３をボタン穴４から手で外すことなく、衣類１の上側を横方向に手で引っ張るだけで、全てのボタン３をボタン穴４から外して脱衣を行うことができる。
【００２４】
また、大径部６の径は、ボタン３の径よりも小さいため、着用時にボタン３の位置がずれて大径部６に位置したとしても、このときは引張力が働かないため、ボタン３がボタン穴４から抜けることを抑制できる。
【００２５】
大径部６の周囲を形成する縁部７は、生地２よりも硬くなるように形成されている。縁部７が生地２よりも硬くなるように形成されていることにより、着衣時にボタン３が大径部６に位置したときに、縁部７は、ボタン３がボタン穴４から抜けることを抑制するための抵抗として機能する。この縁部７を、生地２よりも硬くなるように形成する手段として、この部分を接着剤で固めるか、刺繍等によってこの部分の生地の厚みを増すこと等が挙げられる。大径部６の周囲を形成する縁部７に連続して、細長部５の縁を生地２よりも硬くなるように形成して、ボタン穴４の縁全体を生地２よりも硬くなるようにすることもできる。
【００２６】
このように、衣類を脱ごうとしたときの着用者の意思によって引張力が生じたときにボタン３がボタン穴４から外れるが、その意思が無い着用時には引張力が働かないため、ボタン３はボタン穴４から外れないようになっている。
【００２７】
図３に、本発明の第二実施形態に係る衣類の着衣時の状況を示す。
カッターシャツ等の衣類１は、生地２に取付けられたボタン３と、着用時にボタン３が係合するボタン穴４とを備えている。ボタン穴４は上下方向に細長い細長部５と、細長部５の上方に細長部５と連続して設けられた円形状の大径部６とによって構成されている。着衣時には、ボタン３は上下方向に細長い細長部５に係合されているため、ボタン３がボタン穴４から外れにくい状態を維持できる。
【００２８】
図４は、第二実施形態に係る衣類の脱衣時におけるボタンの動きを示す。図４(ａ)は全体図であり、図４（ｂ）、（ｃ）、（ｄ）は、その部分詳細図である。
図４(ａ)に示すように、脱衣時に衣類１の下側を横方向に手で引っ張ると、上下方向に一列に配列されたボタン３は、この際に生じる矢印で示す上向きの力によって、下段側から上段側に向かって順次、細長部５から大径部６に移動する。図４(ａ)では、この動作によって、最下段のボタン３がすでにボタン穴４から外れ、下から２段目のボタン３が、大径部６に移動した状態を示している。
【００２９】
図４（ｂ）、（ｃ）、（ｄ）は、ボタンの動きの時間的経過を示している。
図４（ｂ）は着用時を示しており、ボタン３は上下方向に細長い細長部５に係合されているため、ボタン３がボタン穴４から外れにくい状態となっている。図４（ｃ）は、ボタン３が移動している途中を示しており、図４（ｄ）は、ボタン３が大径部６に移動した状態を示している。
【００３０】
大径部６の径Ｄは、細長部５の横方向の開口幅Ｗよりも大きくなっているため、この引張力によってボタン３はボタン穴４から外れる。そのため、個々のボタン３をボタン穴４から手で外すことなく、衣類１の下側を横方向に手で引っ張るだけで、全てのボタン３をボタン穴４から外して脱衣を行うことができる。
【００３１】
また、大径部６の径は、ボタン３の径よりも小さいため、着用時にボタン３の位置がずれて大径部６に位置したとしても、このときは引張力が働かないため、ボタン３がボタン穴４から抜けることを抑制できる。
【００３２】
本実施形態においても、大径部６の周囲を形成する縁部７は、生地２よりも硬くなるように形成されている。縁部７が生地２よりも硬くなるように形成されていることにより、着衣時にボタン３が大径部６に位置したときに、縁部７は、ボタン３がボタン穴４から抜けることを抑制するための抵抗として機能する。この縁部７を、生地２よりも硬くなるように形成する手段として、この部分を接着剤で固めるか、刺繍等によってこの部分の生地の厚みを増すこと等が挙げられる。大径部６の周囲を形成する縁部７に連続して、細長部５の縁を生地２よりも硬くなるように形成して、ボタン穴４の縁全体を生地２よりも硬くなるようにすることもできる。
【００３３】
このように、本実施形態においても、衣類を脱ごうとしたときの着用者の意思によって引張力が生じたときにボタン３がボタン穴４から外れるが、その意思が無い着用時には引張力が働かないため、ボタン３はボタン穴４から外れないようになっている。
【００３４】
図５に、本発明の第三実施形態に係る衣類の着衣時の状況と、ボタン穴の詳細を示す。
図５(ａ)は、衣類１の着衣時の状況を示しており、図５（ｂ)は、ボタン穴の詳細を示している。衣類１は、生地２に取付けられたボタン３と、着用時にボタン３が係合するボタン穴４とを備え、ボタン穴４は上下方向に細長い細長部５と、細長部５の上方と下方のいずれにも細長部と連続して設けられた円形状の大径部６とによって構成されている。
【００３５】
着用時には、ボタン３は上下方向に細長い細長部５に係合されているため、ボタン３がボタン穴４から外れにくい状態となっている。
脱衣時に衣類１の上側を横方向に手で引っ張ると、上下方向に一列に配列されたボタン３は、この際に生じる下向きの力によって、上段側から下段側に向かって順次、細長部５から下方の大径部６に移動する。また、脱衣時に衣類１の下側を横方向に手で引っ張ると、上下方向に一列に配列されたボタン３は、この際に生じる上向きの力によって、下段側から上段側に向かって順次、細長部５から上方の大径部６に移動する。ボタン３の移動の様子は、第一実施形態と第二実施形態において説明したものと同様である。
【００３６】
大径部６の径Ｄは、細長部５の横方向の開口幅Ｗよりも大きくなっているため、この引張力によってボタン３はボタン穴４から外れる。そのため、個々のボタン３をボタン穴４から手で外すことなく、衣類１の上側または下側を横方向に手で引っ張るだけで、全てのボタン３をボタン穴４から外して脱衣を行うことができる。
【００３７】
舞台衣装として使用して、早変わりを行う場合には、極力短時間で衣装を脱ぐことが要求されるが、細長部５の上方と下方のいずれにも細長部５と連続して設けられた円形状の大径部６が設けられているため、引張力によって上方と下方のいずれの方向に力が働いても、全てのボタン３をボタン穴４から外して脱衣を行うことができる。
【００３８】
舞台衣装はカッターシャツに比べて構造が複雑なものが多く、衣装の上側を引張にくい場合や、衣装の下側を引張にくい場合があり得るが、本実施形態のような構造にしておくと、このような場合であっても、引っ張りやすい側を引っ張ることによって対応することができ、脱衣時間を短縮させる目的のためには有効である。
【００３９】
また、本実施形態においても、大径部６の径は、ボタン３の径よりも小さいため、着用時にボタン３の位置がずれて大径部６に位置したとしても、このときは引張力が働かないため、ボタン３がボタン穴４から抜けることを抑制できる。
【００４０】
また、大径部６の周囲を形成する縁部７は、生地２よりも硬くなるように形成されているため、着衣時にボタン３が大径部６に位置したときに、縁部７は、ボタン３がボタン穴４から抜けることを抑制するための抵抗として機能する。この縁部７を、生地２よりも硬くなるように形成する手段として、この部分を接着剤で固めるか、刺繍等によってこの部分の生地の厚みを増すこと等が挙げられる。大径部６の周囲を形成する縁部７に連続して、細長部５の縁を生地２よりも硬くなるように形成して、ボタン穴４の縁全体を生地２よりも硬くなるようにすることもできる。
【産業上の利用可能性】
【００４１】
本発明は、着用時におけるボタンの外れにくさを確保しつつ、脱衣時には個々のボタンをボタン穴から手で外すことなく、簡便に短時間で脱衣を行うことが可能な衣類として、広く利用することができる。
【符号の説明】
【００４２】
１  衣類
２  生地
３  ボタン
４  ボタン穴
５  細長部
６  大径部
７  縁部
【図１】
2019052383.tif 000003
【図２】
2019052383.tif 000004
【図３】
2019052383.tif 000005
【図４】
2019052383.tif 000006
【図５】
2019052383.tif 000007